(57)【要約】【課題】  １個の対物レンズと３波長のレーザ光を用いて複数種の光ディスクに対応可能であり、且つ、光ディスクに照射される光スポットの向きを光ディスクの種類ごとに最適な向きにされた光ピックアップを提供する。【解決手段】    第１偏光ビームスプリッタ１３側の光路と前記第２偏光ビームスプリッタ２３側の光路とを分離するプレート型の第３ビームスプリッタ３１を備え、ＣＤとＤＶＤ用の第２半導体レーザ２１、第２偏光ピームスプリッタ２３および第２光センサ２５を含むブロックＢが、青紫色レーザ用の第１半導体レーザ１１、第１偏光ビームスプリッタ１３および第１光センサ１６間のレーザ光の光軸ｆ１，ｆ２を含む第１の平面に対して、光軸ｆ５を中心に４５度回転した配置にされた光ピックアップ１である。【選択図】        図１
2006114132.tif 000002
【特許請求の範囲】
【請求項１】
波長の異なる３種類のレーザ光を１個の対物レンズにより光ディスクの記録面にそれぞれ集光させてデータの記録又は再生を可能とする光ピックアップ装置において、
波長４０５ｎｍ±５％のレーザ光を出力する第１半導体レーザ素子と、
波長６６０ｎｍ±５％のレーザ光と波長７８５ｎｍ±５％のレーザ光とを出力する第２半導体レーザ素子と、
第１半導体レーザ素子からの進行ビームと光ディスクからの反射ビームとを分離する第１偏光ビームスプリッタと、
該第１偏光ビームスプリッタにより分離された反射ビームを検出する第１光センサと、
第２半導体レーザ素子からの進行ビームと光ディスクからの反射ビームとを分離する第２偏光ビームスプリッタと、
該第２偏光ビームスプリッタにより分離された反射ビームを検出する第２光センサと、
前記第１偏光ビームスプリッタ側の光路と前記第２偏光ビームスプリッタ側の光路とを分離する反射率と透過率に波長特性を有したプレート型の第３ビームスプリッタとを備え、
前記第２半導体レーザ素子、前記第２偏光ピームスプリッタおよび前記第２光センサは、前記第１半導体レーザ素子、前記第１偏光ビームスプリッタおよび前記第１光センサ間のレーザ光の光軸と重なる第１の平面に対して、前記第２半導体レーザ素子、前記第２偏光ビームスプリッタおよび前記第２光センサ間のレーザ光の光軸と重なる第２の平面が、前記第３ビームスプリッタと前記第２偏光ビームスプリッタ間の光軸を中心に、回転角度が４５度±１０度の傾きになるように配置され、
この配置により、第１半導体レーザ素子から出力されるレーザ光は、楕円形状の光スポットの長軸が光ディスクのデータトラック列と直交するように照射され、第２半導体レーザ素子から出力されるレーザ光は、楕円形状の光スポットの長軸が光ディスクのデータトラック列と４５度±１０度の傾きをなすように照射されることを特徴とする光ピックアップ装置。
【請求項２】
波長の異なる複数種類のレーザ光を１個の対物レンズにより光ディスクの記録面にそれぞれ集光させてデータの記録又は再生を可能とする光ピックアップ装置において、
第１波長のレーザ光を出力する第１レーザ出力手段と、
前記第１レーザ出力手段から光ディスクへ向かう進行ビームと光ディスクからの反射ビームとを分離する第１ビームスプリッタと、
前記第１ビームスプリッタにより分離された反射ビームを検出する第１光センサと、
第２波長のレーザ光を出力する第２レーザ出力手段と、
前記第２レーザ出力手段から光ディスクへ向かう進行ビームと光ディスクを反射してきた反射ビームとを分離する第２ビームスプリッタと、
前記第２ビームスプリッタにより分離された反射ビームを検出する第２光センサと、
前記第１ビームスプリッタ側の光路と前記第２ビームスプリッタ側の光路とを分離する第３ビームスプリッタとを備え、
前記第２レーザ出力手段、前記第２ビームスプリッタおよび前記第２光センサは、前記第１レーザ出力手段、前記第１ビームスプリッタおよび前記第１光センサ間のレーザ光の光軸と重なる第１の平面に対して、前記第２レーザ出力手段、前記第２ビームスプリッタおよび前記第２光センサ間のレーザ光の光軸と重なる第２の平面が、前記第３ビームスプリッタと前記第２ビームスプリッタ間の光軸を中心に、回転角度が４５度±１０度の傾きになるように配置されていることを特徴とする光ピックアップ装置。
【請求項３】
前記第１レーザ出力手段および前記第２レーザ出力手段から出射されるレーザ光の光スポットは楕円形状であり、
前記第１レーザ出力手段のレーザ光は、光スポットの長軸が光ディスクのデータトラック列と直交するように照射され、
前記第２レーザ出力手段のレーザ光は、光スポットの長軸が光ディスクのデータトラック列に対して４５度±１０度の傾きをなすように照射されることを特徴とする請求項２記載の光ピックアップ装置。
【請求項４】
前記第２レーザ出力手段は第２波長のレーザ光を出力するフォトダイオードと第３波長のレーザ光を出力するフォトダイオードとが１つにパッケージングされた２波長半導体レーザ素子であり、
前記第２光センサには前記第２波長の反射ビームを検出する検出面と前記第３波長の反射ビームを検出する検出面とが形成されていることを特徴とする請求項２〜３の何れかに記載の光ピックアップ装置。
【請求項５】
前記第１レーザ出力手段は、波長４０５ｎｍ±５％のレーザ光を出力する半導体レーザ素子であり、
前記第２レーザ出力手段は、波長６６０ｎｍ±５％のレーザ光と波長７８５ｎｍ±５％のレーザ光とを出力する半導体レーザ素子であることを特徴とする請求項４記載の光ピックアップ装置。
【請求項６】
波長の異なる３種類のレーザ光を１個の対物レンズにより光ディスクの記録面に集光させてデータの記録又は再生を可能とする光ピックアップ装置において、
波長４０５ｎｍ±５％のレーザ光を出力する第１半導体レーザ素子と、
波長６６０ｎｍ±５％のレーザ光と波長７８５ｎｍ±５％のレーザ光とを出力する第２半導体レーザ素子とを備え、
第１半導体レーザ素子から出力されるレーザ光は楕円形状の光スポットの長軸が光ディスクのデータトラック列と直交するように照射され、
第２半導体レーザ素子から出力されるレーザ光は楕円形状の光スポットの長軸が光ディスクのデータトラック列と４５度±１０度の傾きをなすように照射されることを特徴とする光ピックアップ装置。
【請求項７】
波長の異なる複数種類のレーザ光を１個の対物レンズにより光ディスクの記録面にそれぞれ集光させてデータの記録又は再生を可能とする光ピックアップ装置において、
第１波長のレーザ光を出力する第１レーザ出力手段と、
前記第１レーザ出力手段から光ディスクへ向かう進行ビームと光ディスクからの反射ビームとを分離する第１ビームスプリッタと、
前記第１ビームスプリッタにより分離された反射ビームを検出する第１光センサと、
第２波長のレーザ光を出力する第２レーザ出力手段と、
前記第２レーザ出力手段から光ディスクへ向かう進行ビームと光ディスクからの反射ビームとを分離する第２ビームスプリッタと、
前記第２ビームスプリッタにより分離された反射ビームを検出する第２光センサと、
前記第１レーザ出力手段から出力され前記第１ビームスプリッタを介して入射するレーザ光と、前記第２レーザ出力手段から出力され前記第２ビームスプリッタを介して入射するレーザ光とを光ディスク側に送るとともに、光ディスクからの反射ビームを前記第１ビームスプリッタ側の光路と前記第２ビームスプリッタ側の光路とに分離して送る第３ビームスプリッタとを備えていることを特徴とする光ピックアップ装置。
【請求項８】
前記第３ビームスプリッタは、第１波長の光に対して透過率が高く第２波長の光に対して反射率が高い波長特性を有するプレート型のビームスプリッタであることを特徴とする請求項２〜５，７の何れかに記載の光ピックアップ装置。
【発明の詳細な説明】
【技術分野】
【０００１】
この発明は、光ディスクにレーザ光を照射してデータの記録又は再生を可能とする光ピックアップ装置に関し、特に、１個の対物レンズで３波長のレーザ光を用いて３種類の光ディスクに対応可能な光ピックアップ装置に利用して有用な技術に関する。
【背景技術】
【０００２】
近年、ＣＤ（コンパクトディスク）、ＤＶＤ（デジタル多用途ディスク）、青紫レーザ用の光ディスクの三種類の光ディスクに対応した光ピックアップが開発されている。このような光ピックアップの中には、２個の対物レンズを有しＣＤとＤＶＤを扱う光学系と青紫色レーザの光学系とがそれぞれ独立的に設けられているものと、１個の対物レンズのみ有しＣＤとＤＶＤを扱う光学系と青紫色レーザの光学系とが複合されているものとがある。
【０００３】
１個の対物レンズを用いて３種類の光ディスクに対応する光ピックアップには、従来、図５に示すような光学系を採用するものがあった。図５において、８１はＣＤ用の波長７８５ｎｍの半導体レーザ、８４はＤＶＤ用の波長６６０ｎｍの半導体レーザ、８７は波長４０５ｎｍの青紫色レーザ用の半導体レーザ、８２，８５，８８は３ビーム形成のための回折格子、８３，８６、８９は偏光ビームスプリッタ、９３は検出レンズ、９４は３波長分の光検出を行う光センサ、９０はコリメータレンズ、９１は１／４波長板、９２は対物レンズである。なお、実際はコリメータレンズ９０からの平行光を立上げミラーで９０度曲げて対物レンズ９２に入射されるようになっている。
【０００４】
このような光ピックアップにあっては、７８５ｎｍ、６６０ｎｍ、４０５ｎｍの各波長のレーザ光の各々について、進行ビームと反射ビームとを分離する偏光ビームスプリッタ８３，８６，８９がそれぞれ設けられ、各波長の反射ビームは３つの偏光ビームスプリッタ８３，８６，８９の全てを透過して光センサ９４に入射するようになっている。
【発明の開示】
【発明が解決しようとする課題】
【０００５】
しかしながら、図５のような従来構成では、３波長のレーザ光はともに３個の偏光ビームスプリッタ８３，８６，８９を全て透過する構成なため、３つの偏光ビームスプリッタの透過偏光面の角度をそれぞれ同一に配置しなければならないという制約が生じてしまう。さらに、レーザ光は偏光ビームスプリッタに対して偏光の向きを合わせて出射する必要があり、半導体レーザの場合、光スポットは楕円形状で、その向きと偏光の向きとが依存しているため、３つの半導体レーザ８１，８４，８７から出力されるレーザ光の光スポットの向きも同一にする必要がある。
【０００６】
その結果、図６（ａ），（ｂ）に示すように、光ディスクＤの記録面に照射される３波長の光スポットＳ１〜Ｓ３の向きはそれぞれ同一の向きとなり、波長ごとに異なる向きにすることが出来なかった。
【０００７】
また、使用レーザの波長の異なる複数種類の光ディスク（例えばＤＶＤと青紫レーザ用光ディスク）では、記録マークの大きさやデータトラックの間隔などが異なり、その特徴に応じて最適とされる光スポットの向きも異なってくる。しかしながら、１個の対物レンズを用いて３種類の光ディスクに対応する従来の光ピックアップでは、３種類の光ディスクに対して光スポットの向きを異ならせるものは提案されていなかった。
【０００８】
この発明の目的は、波長の異なる複数種のレーザ光と１個の対物レンズとを用いて複数種の光ディスクに対応可能な光ピックアップにおいて、光ディスクに照射される光スポットの向きを光ディスクの種類に応じてレーザ光の波長ごとに最適なものとすることにある。また、このように波長ごとに光スポットの向きの最適化を図れる構成を提供することにある。
【課題を解決するための手段】
【０００９】
本発明は、上記目的を達成するため、波長の異なる複数種類のレーザ光を１個の対物レンズにより光ディスクの記録面にそれぞれ集光させてデータの記録又は再生を可能とする光ピックアップ装置において、第１波長のレーザ光を出力する第１レーザ出力手段と、前記第１レーザ出力手段から光ディスクへ向かう進行ビームと光ディスクからの反射ビームとを分離する第１ビームスプリッタと、前記第１ビームスプリッタにより分離された反射ビームを検出する第１光センサと、第２波長のレーザ光を出力する第２レーザ出力手段と、前記第２レーザ出力手段から光ディスクへ向かう進行ビームと光ディスクからの反射ビームとを分離する第２ビームスプリッタと、前記第２ビームスプリッタにより分離された反射ビームを検出する第２光センサと、前記第１レーザ出力手段から出力され前記第１ビームスプリッタを介して入射するレーザ光と、前記第２レーザ出力手段から出力され前記第２ビームスプリッタを介して入射するレーザ光とを光ディスク側に送るとともに、光ディスクからの反射ビームを前記第１ビームスプリッタ側の光路と前記第２ビームスプリッタ側の光路とに分離して送る第３ビームスプリッタとを備えている構成とした。
【００１０】
このような構成によれば、第１レーザ出力手段から出射され光ディスクを反射して第１光センサに入射されるレーザ光は第２ビームスプリッタの影響を受けないし、第２レーザ出力手段から出射され光ディスクを反射して第２光センサに入射されるレーザ光は第１ビームスプリッタの影響を受けない。従って、第１レーザ出力手段から出射されるレーザ光の光スポットの向きと、第２レーザ出力手段から出射されるレーザ光の光スポットの向きとを、それぞれ独立に設定することが出来る。従って、光スポットの向きを光ディスクの種類に応じてレーザ波長ごとに最適なものにすることが出来る。
【００１１】
望ましくは、前記第２レーザ出力手段、前記第２ビームスプリッタおよび前記第２光センサは、前記第１レーザ出力手段、前記第１ビームスプリッタおよび前記第１光センサ間のレーザ光の光軸と重なる第１の平面に対して、前記第２レーザ出力手段、前記第２ビームスプリッタおよび前記第２光センサ間のレーザ光の光軸と重なる第２の平面が、前記第３ビームスプリッタと前記第２ビームスプリッタ間の光軸を中心に、回転角度が４５度±１０度の傾きになるように配置すると良い。
【００１２】
このような配置により、第１半導体レーザ素子から出力されるレーザ光は楕円形状の光スポットの長軸が光ディスクのデータトラック列と直交するように照射され、第２半導体レーザ素子から出力されるレーザ光は楕円形状の光スポットの長軸が光ディスクのデータトラック列と４５度±１０度の傾きをなすように照射されるように出来る。
【００１３】
ＣＤやＤＶＤなどでは、１本のデータトラック中の隣接する記録マークを切り分けるのに必要な分解能に対して、隣接する２本のデータトラック間のクロストークがある程度問題になってくるため、光ディスクに照射されるレーザ光は光スポットの長軸がデータトラックの列に対して４５度の向きにすると良く、一方、青紫レーザ用の光ディスクではデータトラック間のクロストークの問題よりも記録マークを切り分ける分解能の方が重要となるため光スポットの長軸がデータトラックの列に対して直交するように照射されると良い。従って、上記の構成により、このような光ディスクの特性に応じてレーザ光の波長ごとに光スポットの向きが最適なものになる。
【００１４】
具体的には、前記第３ビームスプリッタは、第１波長の光に対して透過率が高く第２波長の光に対して反射率が高い波長特性を有するプレート型のビームスプリッタにより構成すると良い。
【００１５】
この構成により、少ない光損失で、第１波長のレーザ光の光路と第２波長のレーザ光の光路とにレーザ光を振り分けることが出来る。
【００１６】
また具体的には、前記第２レーザ出力手段は第２波長のレーザ光を出力するフォトダイオードと第３波長のレーザ光を出力するフォトダイオードとが１つにパッケージングされた２波長半導体レーザ素子であり、前記第２光センサには前記第２波長の反射ビームを検出する検出面と前記第３波長の反射ビームを検出する検出面とが形成されている構成とすることが出来る。
【００１７】
さらに具体的には、前記第１レーザ出力手段は、波長４０５ｎｍ±５％のレーザ光を出力する半導体レーザ素子であり、前記第２レーザ出力手段は、波長６６０ｎｍ±５％のレーザ光と波長７８５ｎｍ±５％のレーザ光とを出力する半導体レーザ素子とすることが出来る。
【００１８】
このような構成により、隣接するデータピットの分解能を表すＭＴＦ（Modulation Transfer Function）の値と比較してデータトラック間のクロストークの影響が無視できないＣＤやＤＶＤに対応するレーザ光と、クロストークよりもＭＴＦの値が重要となる青紫レーザ用ディスクに対応するレーザ光とで、光ディスクに照射される光スポットの向きを独立的に最適化することが出来る。
【００１９】
また、光スポットの向きを同一にして良い２波長のレーザ光については同一の光路を用いているので、その分、コストの低減と構成のコンパクト化を図ることが出来る。
【発明の効果】
【００２０】
本発明に従うと、波長の異なる複数種のレーザ光と１個の対物レンズとを用いて複数種の光ディスクに対応可能な光ピックアップにおいて、第１波長のレーザ光と第２波長のレーザ光とで光ディスクに照射される光スポットの向きを、光ディスクの種類に応じてレーザ光の波長ごとに最適な向きにすることが出来る。
【００２１】
また、最適な向きとするために、第１波長のレーザ光と第２波長のレーザ光とで光ディスクに照射される光スポットの向きをそれぞれ独立的に設定することが出来るという効果がある。
【００２２】
さらに、ＣＤ用、ＤＶＤ用、青紫レーザ用の光ディスクと、３種類の光ディスクに対応しつつビームスプリッタの構成についてコストの低減と全体構成のコンパクト化が図れるという効果がある。
【発明を実施するための最良の形態】
【００２３】
以下、本発明の実施の形態を図面に基づいて説明する。
〔第１の実施の形態〕
図１は、本発明の第１の実施の形態の光ピックアップ１の光学系を示す構成図、図２はこの光学系の各ブロックの配置を示す側方図である。
【００２４】
この実施の形態の光ピックアップ１は、ＣＤとＤＶＤと青紫レーザ用の光ディスクとの三種類の光ディスクに対してデータの記録又は再生を行うものである。その光学系の構成は、図１に示すように、４０５ｎｍ波長の青紫色レーザを出力する第１の半導体レーザ１１と、３ビームを形成する回折格子１２と、青紫色レーザに対してＰ偏光の光を透過させＳ偏光の光を反射させる偏光特性を有したキューブ型の偏光ビームスプリッタ（ＰＢＳ：Polarized Beam Splitter）１３と、第１半導体レーザ１１の出射光を平行ビームにするコリメータレンズ１４と、偏光ビームスプリッタ１３により分離された光ディスクからの反射ビームに非点収差を付加する検出レンズ１５と、この非点収差を付加された反射ビームを複数の検出面で検出する第１光センサ１６と、２つのフォトダイオードが１つにパッケージングされてなり７８５ｎｍ波長のＣＤ用のレーザ光と６６０ｎｍ波長のＤＶＤ用のレーザ光とを近接する２つの出射点から出力する第２半導体レーザ２１と、３ビームを形成する回折格子２２と、第２半導体レーザから出射されるレーザ光に対してＰ偏光の光を透過させＳ偏光の光を反射させる偏光特性を有したプレート型の偏光ビームスプリッタ２３と、第２半導体レーザの出射光を平行ビームにするコリメータレンズ２４と、ＣＤ用のレーザ光を検出する複数の検出面とＤＶＤ用のレーザ光を検出する複数の検出面とが形成されている第２光センサ２５と、第１半導体レーザ１１からの出射ビームと第２半導体レーザ２１からの出射ビームとを対物レンズ３６の側へ送るとともに光ディスクからの反射ビームをＣＤおよびＤＶＤ側の光路と青紫色レーザ側の光路とに振り分けるプレート型のビームスプリッタ３１と、行きと戻りとでレーザ光の位相を９０度回転させる１／４波長板３２と、凹レンズ３３ａと凸レンズ３３ｂとからなりこれらのレンズ間隔を変化させることで球面収差の補正が可能なエキスパンダレンズ３３と、ビームを９０度立ち上げる立上げミラー３５と、光ディスクの記録面にレーザ光を集束させる対物レンズ３６等を備えたものである。これらの光学部品は、例えば、アルミや亜鉛合金をダイカスト鋳造して形成された図示しないオプトベース（基台）に搭載されている。
【００２５】
上記の偏光ビームスプリッタ１３は、少なくとも４０５ｎｍの波長帯において、Ｐ偏光の光は１００％に近い透過率、Ｓ偏光の光も１００％に近い反射率を有するものである。この偏光ビームスプリッタ１３はキューブ型のものであり、第１半導体レーザ１１から入射される発散光に対して、付加される収差の量は小さなものとなっている。
【００２６】
ＣＤとＤＶＤ側の偏光ビームスプリッタ２３は、６６０ｎｍと７８５ｎｍの波長帯でＰ偏光の光は９８％程度の透過率、Ｓ偏光の光も９８％程度の反射率を有するものである。プレート型を採用することで、キューブ型のものよりも透過率や反射率は少し低下するが、キューブ型のものよりもコストを低くすることが出来る。
【００２７】
また、この偏光ビームスプリッタ２３は、光センサ２５の前段で反射ビームに非点収差を付加する役割も担っている。この収差は、一般にプレート型の透明体に集束ビームが透過したときに及ぼされるものと同一のものである。ここで付加される非点収差は、対物レンズ３６のフォーカスエラーを検出するために利用されるが、この点については、反射ビームからフォーカスエラー信号やトラッキングエラー信号等を生成する技術として公知のものなので説明は省略する。
【００２８】
青紫色レーザ側とＣＤとＤＶＤ側の光路を振り分けるビームスプリッタ３１は、波長特性として４０５ｎｍの波長の光は透過率が高く、６６０ｎｍと７８５ｎｍの波長の光は反射率が高いという特性を有したものである。また、偏光特性は無いものである。上記の透過率と反射率の値はそれぞれ高いほど良いが、キューブ型を採用することで上記透過率と反射率とがそれぞれ９５％以上のものを構成することが出来る。このような特性を有するものは、キューブ型では作成しにくく、必然的にプレート型のものとなるが、同様の特性のものであれば、どのような型のものを用いても良い。
【００２９】
また、この実施の形態の光ピックアップ１には、エキスパンダレンズ３３の凸レンズ３３ｂの駆動機構（ステッピングモータ５１、ウォームギヤ５２、ラック５３が形成されたレンズホルダ５４）や、対物レンズ３６の駆動機構が設けられている。エキスパンダレンズ３３の駆動機構においては、ステッピングモータ５１の駆動によりウォームギヤ５２が回転駆動されることで、この駆動力がラック５３を介して伝達されて、凸レンズ３３ｂを保持したレンズホルダ５４が光軸方向にスライド移動するようになっている。レンズホルダ５４は、オプトベースの２つの固定面にスライド自在に当接され且つリテナ（板バネ）で押えられて固定されている。
【００３０】
また、対物レンズ３６の駆動機構は、例えば電磁コイルと磁石との作用により、対物レンズ３６をその焦点方向、トラッキング方向、チルト角方向に高速に微小駆動するようになっている。
【００３１】
上記構成の光ピックアップ１において、第１半導体レーザ１１から立上げミラー３５までの光学系が搭載されるブロックＡと、第２半導体レーザ２１、回折格子２２、偏光ビームスプリッタ２３および第２光センサ２５が搭載されるブロックＢとの配置関係は、図２に示すように、ブロックＢがブロックＡに対して４５度の傾斜を有した配置にされている。
【００３２】
詳細には、ブロックＡの光軸ｆ１，ｆ２（第１半導体レーザ１１、偏光ビームスプリッタ１３、第１光センサ１６間のレーザ光の光軸）と重なる第１平面に対して、ブロックＢの光軸ｆ３，ｆ４（第２半導体レーザ２１、偏光ビームスプリッタ２３、第２光センサ２５間のレーザ光の光軸）と重なる第２平面が、第１ブロックと第２ブロック間の光軸ｆ５を中心に４５度回転した傾きになっている。
【００３３】
第１半導体レーザ１１と第２半導体レーザ２１は、その出射光がヘテロ接合面に平行に偏光したＴＥ偏光で、その光スポットの形状が偏光方向と長軸又は短軸が重なった楕円形状になるものである。
【００３４】
また、第１半導体レーザ１１は偏光ビームスプリッタ１３での透過量が最大となるように偏光面を合わせて設置され、第２半導体レーザ２１は偏光ビームスプリッタ２３での反射量が最大となるように偏光面を合わせて設置されている。
【００３５】
図３には、光ディスクに照射されるスポット形状の説明図を示す。
【００３６】
上術のような構成により、対物レンズ３６により光ディスクDの記録面に照射される光スポットは、図３に示すように、第１半導体レーザ１１から出射される青紫色レーザの光スポットＳ１については、楕円形状でその長軸がデータトラック列Ｔにほぼ直交する向きにされ、第２半導体レーザ２１から出射されるＣＤ，ＤＶＤ用のレーザ光の光スポットＳ２については、楕円形状でその長軸がデータトラック列Ｔに約４５度で交差する向きにされる。
【００３７】
以上のように、この実施の形態の光ピックアップ１によれば、ビームスプリッタの構成が、青紫色レーザとＣＤおよびＤＶＤ用のレーザ光とをビームスプリッタ３１により振り分け、この振り分けられた２つの光路上で光ディスクに向かう進行ビームと光ディスクからの反射ビームとを２個の偏光ビームスプリッタ１３，２３でそれぞれ分離する構成であるので、青紫色レーザの光スポットの向きと、ＣＤおよびＤＶＤ用のレーザの光スポットの向きとを、それぞれ独立的に設定することができる。
【００３８】
そして、ＣＤおよびＤＶＤ用の半導体レーザ２１、偏光ビームスプリッタ２３、光センサ２５を含むブロックＢが、ブロックＡに対して光軸ｆ５を中心に４５度回転した配置とされているので、青紫色レーザの光スポットは、データトラック列Ｔに対して長軸が直交した向きに、ＣＤおよびＤＶＤ用のレーザ光は、光スポットの長軸がデータトラック列Ｔに対して４５度傾斜した向きにすることが出来る。
【００３９】
従って、隣接するデータトラック間のクロストークよりもデータマークの分解能を表すＭＴＦの値が重要となる青紫レーザ用ディスク、ＭＴＦの値と比較してデータトラック間のクロストークの影響が無視できないＣＤやＤＶＤなど、光ディスクの特性に応じてレーザ光の波長ごとに光スポットの向きが最適なものになっている。
【００４０】
また、この実施の形態の光ピックアップ１によれば、上記３つのビームスプリッタ１３，２３，３１の構成により、光路上での光損失を低くおさえることができ、さらに、比較的高価となるキューブ型のビームスプリッタは１つのみで、２つをプレート型にすることが出来るので、図５に示す従来構成と比較して安価な構成とすることが出来る。
【００４１】
また、光スポットの向きを同一にしてよいＣＤ用のレーザ光とＤＶＤ用のレーザ光は、２波長半導体レーザ２１を用いて同一光路を兼用しているので、その分、構成のコンパクト化とコストの低減が図られている。
〔第２の実施の形態〕
図４は、本発明の第２の実施の形態の光ピックアップ１Ａの光学系を示す構成図である。
【００４２】
この実施の形態の光ピックアップ１Ａは、ＣＤ用とＤＶＤ用の進行ビームと反射ビームとを分離する偏光ビームスプリッタとして、第１の実施の形態（図１）ではプレート型のものを採用していたものを、キューブ型の偏光ビームスプリッタ４１を用いた例である。
【００４３】
キューブ型の偏光ビームスプリッタ４１を適用することで、Ｐ偏光の透過率やＳ偏光の反射率を１００％近くにして、ＣＤやＤＶＤ用のレーザ光の光損失をより少なくすることが出来る。また、この場合、偏光ビームスプリッタ４１で分離した反射ビームに非点収差を及ぼす円筒レンズ等の検出レンズ４２が光センサ２５の前段に設けられる。
【００４４】
この実施の形態に光ピックアップ１Ａによれば、ブロックＢの配置を、第１の実施の形態と同様に、ブロックＡに対して光軸ｆ５を中心に４５度回転した配置とすることで、図２に示したように、青紫色レーザの光スポットＳ１とＣＤとＤＶＤ用のレーザ光の光スポットＳ２，Ｓ３を、第１の実施の形態と同様の向きにすることが出来る。
【００４５】
なお、本発明は、上記第１および第２の実施の形態に限られるものではなく、様々な変更が可能である。例えば、上記第１と第２の実施の形態では、光ピックアップ１，１ＡのブロックＢの構成を４５度回転させた角度で配置した例を説明したが、例えばこの角度を３０度〜６０度、４０度〜５０度などの回転角度としても、ＣＤやＤＶＤ用の光スポットＳ２やＳ３の向きが、この回転角度と同様の角度となって、同様の効果を得ることが出来る。
【００４６】
また、実施の形態では、本発明を３波長の光ピックアップに適用した例について説明したが、例えば青紫色レーザとＤＶＤ用の２波長の光ピックアップに適用したり、或いは、もっと別の波長を用いた２波長や３波長の光ピックアップに適用することも出来る。
【図面の簡単な説明】
【００４７】
【図１】本発明の実施の形態の光ピックアップの光学系を示す構成図である。
【図２】図１の光学系の各ブロックの配置を示す側方図である。
【図３】光ディスクに照射されるスポット形状を説明する図である。
【図４】実施の形態の光ピックアップにおいて光学系のその他の例を示す構成図である。
【図５】従来の３波長光ピックアップの光学系の一例を示す構成図である。
【図６】図５の光ピックアップで光ディスクに照射されるスポット形状の例を示す図である。
【符号の説明】
【００４８】
１，１Ｄ  光ピックアップ
１１      第１半導体レーザ（第１レーザ出力手段）
１３      偏光ビームスプリッタ（第１ビームスプリッタ：第１偏光ビームスプリッタ）
１６      第１光センサ
２１      第２半導体レーザ（第２レーザ出力手段）
２３      偏光ビームスプリッタ（第２ビームスプリッタ：第２偏光ビームスプリッタ）
２５      第２光センサ
３１      ビームスプリッタ（第３ビームスプリッタ）
３６      対物レンズ
Ｓ１〜Ｓ３  光スポット
【図１】
2006114132.tif 000003
【図２】
2006114132.tif 000004
【図３】
2006114132.tif 000005
【図４】
2006114132.tif 000006
【図５】
2006114132.tif 000007
【図６】
2006114132.tif 000008